【手続補正書】
【提出日】平成24年11月19日(2012.11.19)
【手続補正１】
【補正対象書類名】特許請求の範囲
【補正対象項目名】全文
【補正方法】変更
【補正の内容】
【特許請求の範囲】
【請求項１】
以下の段階を含む、第1のデバイスと第2のデバイスとの間で情報を送信する方法：
第1のデバイスから安全な通信セッションの要求を送信する段階であって、該要求が、第1のデバイスを識別するトークンを含む、段階；
該安全な通信セッションを確立するための情報を含む要求承認を受信する段階；
該要求承認に基づいて第1のデバイスと第2のデバイスとの間で該安全な通信セッションを確立する段階；および
該安全な通信セッションを用いて、第1のデバイスから第2のデバイスへとデータ・パケットを送信し、かつ、第2のデバイスからのデータ・パケットを第1のデバイスで受信する、段階であって、送信される第1のデバイスからの該データ・パケットと受信される第2のデバイスからの該データ・パケットが、オーディオ・データまたはビデオ・データを含む、段階。
【請求項２】
第1のデバイスから第2のデバイスへと送信されるデータ・パケットのそれぞれにディスクリミネータ値を埋め込む段階をさらに含み、各ディスクリミネータ値が、連続するデータ・パケット間で周期的に変化し、かつ各データ・パケット内の他のデータのみに基づくわけではない、請求項1記載の方法。
【請求項３】
インタネット・プロトコル・ヘッダ内のインタネット・プロトコル・アドレスがディスクリミネータ値として使用され、該インタネット・プロトコル・アドレスが、インタネットを介してデータ・パケットをルーティングするために使用される、請求項2記載の方法。
【請求項４】
ディスクリミネータ値として媒体アクセス制御（MAC）ハードウェア・アドレスが使用され、該MACハードウェア・アドレスがローカル・エリア・ネットワーク上でデータ・パケットをルーティングするために使用される、請求項2記載の方法。
【請求項５】
ディスクリミネータ値がさらに、擬似乱数的に生成された値である、請求項2記載の方法。
【請求項６】
以下の段階をさらに含む、請求項1記載の方法：
受信された第2のデバイスからのデータ・パケットのそれぞれにおけるディスクリミネータ値を、1組の有効なディスクリミネータ値と比較する段階；
一致を検出した場合、該受信されたデータ・パケットをさらなる処理のために受け入れる段階；および
一致が検出されない場合、該受信されたデータ・パケットを拒否する段階。
【請求項７】
1組の有効なディスクリミネータ値が、有効なディスクリミネータ値のウインドウであり、該ウインドウが、一致を検出したことに応答して移動する、請求項6記載の方法。
【請求項８】
送信テーブルおよび受信テーブルを第1のデバイス内に維持する段階をさらに含み、該送信テーブルが、発信データ・パケットに挿入すべき有効なディスクリミネータ値のリストを含み、該受信テーブルが、着信データ・パケットと比較すべき有効なディスクリミネータ値のリストを含む、請求項1記載の方法。
【請求項９】
第1のデバイスと第2のデバイスとの間で同期要求を送信する段階をさらに含み、第2のデバイスが、該同期要求を使用して有効なディスクリミネータ値の同期を維持する、請求項1記載の方法。
【請求項１０】
以下の段階をさらに含む、請求項1記載の方法：
複数のデータ・パケットにオーディオ・データおよびビデオ・データをどのように分配するかを決定する共通のアルゴリズムを、第1のデバイスと第2のデバイスとの間で確立する段階；ならびに
該共通のアルゴリズムを用いて、該オーディオ・データおよびビデオ・データを、第1のデバイスから第2のデバイスへと送信されるデータ・パケットに分配する段階。
【請求項１１】
第1のデバイスから第2のデバイスへと送信されるデータ・パケットのそれぞれについて、複数のコンピュータを通る複数の物理送信パスのうちの1つを選択する段階をさらに含み、第1のデバイスから第2のデバイスへと送信される該データ・パケットが、該選択された物理送信パスを用いて送信される、請求項1記載の方法。
【請求項１２】
1つまたは複数のプロセッサ；ならびに
該1つまたは複数のプロセッサにより実行されると、以下の動作：
第1のデバイスから安全な通信セッションの要求を送信することであって、ここで該要求は第1のデバイスを識別するトークンを含む；
該安全な通信セッションを確立するための情報を含む要求承認を受信すること；
該要求承認に基づいて第1のデバイスと第2のデバイスとの間で該安全な通信セッションを確立すること；および
該安全な通信セッションを用いて、第1のデバイスから第2のデバイスへとデータ・パケットを送信し、かつ、第2のデバイスからのデータ・パケットを第1のデバイスで受信することであって、ここで、送信される第1のデバイスからの該データ・パケットと受信される第2のデバイスからの該データ・パケットは、オーディオ・データまたはビデオ・データを含む
を実施する命令を備える、機械可読媒体
を含む、第1のデバイスと第2のデバイスとの間で情報を送信するためのシステム。
【請求項１３】
動作が、第1のデバイスから第2のデバイスへと送信されるデータ・パケットのそれぞれにディスクリミネータ値を埋め込むことをさらに含み、各ディスクリミネータ値が、連続するデータ・パケット間で周期的に変化し、かつ各データ・パケット内の他のデータのみに基づくわけではない、請求項12記載のシステム。
【請求項１４】
動作が、
受信された第2のデバイスからのデータ・パケットのそれぞれにおけるディスクリミネータ値を、1組の有効なディスクリミネータ値と比較すること；
一致を検出した場合、該受信されたデータ・パケットをさらなる処理のために受け入れること；および
一致が検出されない場合、該受信されたデータ・パケットを拒否すること
をさらに含む、請求項12記載のシステム。
【請求項１５】
動作が、第1のデバイスと第2のデバイスとの間で同期要求を送信することをさらに含み、第2のデバイスが、該同期要求を使用して有効なディスクリミネータ値の同期を維持する、請求項12記載のシステム。
【請求項１６】
動作が、
複数のデータ・パケットにオーディオ・データおよびビデオ・データをどのように分配するかを決定する共通のアルゴリズムを、第1のデバイスと第2のデバイスとの間で確立すること；ならびに
該共通のアルゴリズムを用いて、該オーディオ・データおよびビデオ・データを、第1のデバイスから第2のデバイスへと送信されるデータ・パケットに分配すること
をさらに含む、請求項12記載のシステム。
【請求項１７】
動作が、第1のデバイスから第2のデバイスへと送信されるデータ・パケットのそれぞれについて、複数のコンピュータを通る複数の物理送信パスのうちの1つを選択することをさらに含み、第1のデバイスから第2のデバイスへと送信される該データ・パケットが、該選択された物理送信パスを用いて送信される、請求項12記載のシステム。
【請求項１８】
以下の段階を含む、第1のコンピュータと第2のコンピュータとの間で情報を送信する方法：
第1のデバイスから安全な通信セッションの要求を送信する段階；
要求承認を受信する段階；
該要求承認に基づいて第1のデバイスと第2のデバイスとの間で該安全な通信セッションを確立する段階；および
該安全な通信セッションを用いて、第1のコンピュータから第2のコンピュータへとデータ・パケットを送信する段階。
【請求項１９】
安全な通信セッションを用いて、第2のコンピュータからのデータ・パケットを第1のコンピュータで受信する段階をさらに含む、請求項18記載の方法。
【請求項２０】
送信される第1のコンピュータからのデータ・パケットと受信される第2のコンピュータからのデータ・パケットが、オーディオ・データおよびビデオ・データを含む、請求項19記載の方法。